(57)【要約】【課題】可撓性誘電体シート上にアンテナと伝送路を設けた薄形平面アンテナを提供する。【解決手段】本発明による１素子形の薄形平面アンテナは、誘電体基板１と、前記基板１の表面に設けられた頂角が直角に近い２等辺三角形状を有する金属膜よりなるアンテナ先端部２と、前記アンテナ先端部の直角部２に接続された金属膜の給電線路３と、前記基板１の裏面で前記アンテナ先端部２と対面しない位置に形成され前記給電線路３とともにストリップラインを形成するグランドプレーン４と、前記グランドプレーン４と前記給電線路端より形成されるストリップラインの入力／出力端子５とから構成されている。【選択図】図１
2007142974.tif 000002
【特許請求の範囲】
【請求項１】
誘電体基板と、
前記基板の表面に設けられた頂角が直角に近い２等辺三角形状を有する金属膜よりなるアンテナ先端部と、
前記アンテナ先端部の直角部に接続された金属膜の給電線路と、
前記基板の裏面で前記アンテナ先端部と対面しない位置に形成され前記給電線路とともにストリップラインを形成するグランドプレーンと、
前記グランドプレーンと前記給電線路端より形成されるストリップラインの入力／出力端子と、
から構成した薄形平面アンテナ。
【請求項２】
誘電体基板と、
前記基板の表面に平行に設けられた頂角が直角に近い２等辺三角形状を有する金属膜よりなるアンテナ先端部の対と、
前記アンテナ先端部の対の各直角部に接続されＹ分岐結合線路を形成する金属膜の給電線路と、
前記基板の裏面で前記アンテナ先端部の対と対面しない位置に形成され前記給電線路とともに電力合成分岐ストリップラインを形成するグランドプレーンと、
前記グランドプレーンと前記給電線路端より形成されるストリップラインの入力／出力端子と、
から構成した薄形平面アンテナ。
【請求項３】
前記薄形平面アンテナは、全体として略透明であり、前記グランドプレーン側を窓面に対面させて展張して使用されることを特徴とする請求項１または２記載の薄形平面アンテナ。
【請求項４】
前記アンテナ先端部は２等辺３角形でありその高さをｄとするとｄは使用波長のλの略１／４程度であり、前記グラントプレーンは矩形である請求項１または２記載の薄形平面アンテナ。
【請求項５】
前記アンテナ先端部の前記給電線路との結合部には矩形の接合部材が設けられている請求項１または２記載の薄形平面アンテナ。
【請求項６】
前記ストリップラインは、前記入出力端子に接続される装置とアンテナ先端部の放射インピーダンスとのインピーダンス整合を行うインピーダンスを備えるものである請求項１または２記載の薄形平面アンテナ。
【請求項７】
前記アンテナ先端部対の各直角部に接続されＹ分岐結合線路を形成する金属膜の給電線路は、ウイルキンソン電力合成／分割器と１／４波長インピーダンス変換器を組み合わせて形成されている請求項２記載の薄形平面アンテナ。
【発明の詳細な説明】
【技術分野】
【０００１】
本発明は、透明なプラスチックシート上に構成する薄形平面アンテナ、さらに詳しく言えば車の窓ガラスや建物の窓ガラスなどに貼り付けて使用するのに適した薄形平面アンテナに関する。
【背景技術】
【０００２】
マイクロストリップライン、コプレーナーライン、スロットライン技術を用い多種多様な平面アンテナが開発され、実用に供されている。しかしながら、これらを車の窓ガラスや建物の窓ガラスなどに貼り付けて使用しようとするときには解決しなければならない種々の問題がある。先ず従来の平面アンテナについて数例を示し格別に説明する。
図１８は非特許文献１に記載されている従来の薄形アンテナの３例を示す略図である。
（パターン１−１：マイクロストリップ  アンテナ１）図１８に示すマイクロストリップアンテナ１は、誘電体基板の両面にＬ字形の金属板を図示のように配置しダイポールアンテナを構成したものである。ダイポールの軸と平行な方向の偏波に対して感度を有するが、垂直な方向の偏波に対しては感度を有しない。
（パターン１−２：マイクロストリップ  アンテナ２）図１８に示すマイクロストリップアンテナ２は、マイクロストリップの先端突出部（図中Twin Lead Section)の軸と平行な方向の偏波に対して感度を有するが、垂直な方向の偏波に対しては感度を有しない。
前述した応用目的から、直行する２偏波に対して同等な受信感度を有するアンテナが望まれる。この点において前記アンテナ１，２には問題がある。
（パターン１−３：マイクロストリップ三角アンテナ）図１８に示されているマイクロストリップ三角アンテナは、２つの周波数で動作するアンテナとして開発され、広帯域特性を有する。加えて、図中のｘ方向偏波及びｙ方向の偏波に感度を有する。しかし、誘電体基板の厚さが波長に比して著しく薄い場合、輻射強度が低下するため実用的なアンテナを実現できない。入出力給電線路もグランドプレーンと誘電体基板を貫いて同軸線路で構成されている。したがって、このアンテナも、厚さ１ｍｍ程度の誘電体基板を使った薄形平面アンテナには適さない。
【非特許文献１】R. Garg, P. Bhartia, I. Bahl, A. Ittipiboon 「 Microstrip Antenna Design Handbook 」Artech House, 2001.
【０００３】
（パターン２−１：マイクロストリップ給電自己補対型プリントアンテナ）
図１９は、非特許文献２に記載されている最近発表された薄形アンテナを示す略図である。一対の同じ形の導体パターンの組み合わせによって構成されたプリントダイポールアンテナで、非常に広い動作周波数帯域（３．１ＧＨｚ〜１０．６ＧＨｚ）を実現したアンテナである。共振周波数における輻射抵抗が１８８Ωとなる。一対の同形導体パターンの一方をストリップライン給電線路のグランドプレーンとしても使用している。
なお後述する本発明による薄形平面アンテナにおいても一対の同形導体パターンの一方をストリップライン給電線路のグランドプレーンとしても使用するが全体の配置が全く異なる。この点については後に詳述する。
この自己補対型プリントアンテナでは、グランドプレーンの形が放射専用の導体パターンと同形であることが要求されるので、多素子アレーアンテナを実現するために必要なマイクロストリップ電力合成／分割回路の幾何学的な配置が難しい課題となる。
さらに、輻射抵抗が１８８Ωと比較的に高いことは、電力合成／分割器をストリップラインで実現しようとした場合、不利な条件となる。
【非特許文献２】飴谷充隆、山本学、野島俊雄、伊藤精彦「自己補対放射素子を用いたマイクロストリップ給電広帯域プリントダイポールアンテナ」電子情報通信学会論文誌、Vol.J88-B, No.9, pp.1662-1673,  2005年 9月
【発明の開示】
【発明が解決しようとする課題】
【０００４】
車の窓ガラスや建物の窓ガラスなどに薄形平面アンテナを貼り付けて使用するのには、誘電体基板に厚さ１ｍｍ程度の透明プラスチックシートが好ましく、給電線路にストリップラインを使うことによってアンテナと給電線路を一体化した構造とすることができれば、取り扱いが簡単になる。また地上ディジタルテレビジョン信号を受信する場合、受信点近傍の電波環境によって、入射電波の偏波面は必ずしも一方向に保たれているわけではないので、受信アンテナは直交する２偏波に対して同等な受信感度を持つことが要求される。
前述したマイクロストリップ三角アンテナでは、三角の金属パッチが基板を挟んでグランドプレーン上方に配置されている。この構造を用いて、５００ＭＨｚ〜６００ＭＨｚ用アンテナを構成した場合、実用上有用な輻射強度（受信感度）を得ることはできない。
本発明の第１の目的は、前述した問題を解決できる単素子薄形平面アンテナを提供することにある。
また本発明の第２の目的は前記単素子薄形平面アンテナを合理的に接続した多素子薄形平面アンテナを提供することにある。
【課題を解決するための手段】
【０００５】
前記目的を達成するために本発明による請求項１記載の薄形平面アンテナは、
誘電体基板と、
前記基板の表面に設けられた頂角が直角に近い２等辺三角形状を有する金属膜よりなるアンテナ先端部と、
前記アンテナ先端部の直角部に接続された金属膜の給電線路と、
前記基板の裏面で前記アンテナ先端部と対面しない位置に形成され前記給電線路とともにストリップラインを形成するグランドプレーンと、
前記グランドプレーンと前記給電線路端より形成されるストリップラインの入力／出力端子と、から構成されている。
【０００６】
前記目的を達成するために本発明による請求項２記載の薄形平面アンテナは、
誘電体基板と、
前記基板の表面に平行に設けられた頂角が直角に近い２等辺三角形状を有する金属膜よりなるアンテナ先端部の対と、
前記アンテナ先端部の対の各直角部に接続されＹ分岐結合線路を形成する金属膜の給電線路と、
前記基板の裏面で前記アンテナ先端部の対と対面しない位置に形成され前記給電線路とともに電力合成分岐ストリップラインを形成するグランドプレーンと、
前記グランドプレーンと前記給電線路端より形成されるストリップラインの入力／出力端子と、
から構成されている。
【０００７】
本発明による請求項３記載の薄形平面アンテナは、請求項１または２記載の薄形平面アンテナにおいて、前記薄形平面アンテナは、全体として略透明であり、前記グランドプレーン側を窓面に対面させて展張して使用されることを特徴としている。
【０００８】
本発明による請求項４記載の薄形平面アンテナは、請求項１または２記載の薄形平面アンテナにおいて、前記アンテナ先端部は２等辺３角形でありその高さをｄとするとｄは使用波長のλの略１／４程度であり、前記グラントプレーンは矩形である。
すなわち、本発明による薄形平面アンテナでは、グランドプレーンの形状を矩形としたことにより、電力合成／分割器及びインピーダンス整合器からなる給電回路をマイクロストリップ線で容易に実現できる。
本発明による請求項５記載の薄形平面アンテナは、請求項１または２記載の薄形平面アンテナであって、前記アンテナ先端部の前記給電線路との結合部には矩形の接合部材が設けられている。
本発明による請求項６記載の薄形平面アンテナは、請求項１または２記載の薄形平面アンテナであって、前記ストリップラインは、前記入出力端子に接続される装置とアンテナ先端部の放射インピーダンスとのインピーダンス整合を行うインピーダンスを備えるものである。
本発明による請求項７記載の薄形平面アンテナは、請求項２記載の薄形平面アンテナであって、前記アンテナ先端部対の各直角部に接続されＹ分岐結合線路を形成する金属膜の給電線路は、ウイルキンソン電力合成／分割器と１／４波長インピーダンス変換器を組み合わせて形成されている。
【発明の効果】
【０００９】
請求項１記載の発明によれば、１素子の可撓性薄形平面アンテナを提供できる。
請求項２記載の発明によれば、２素子のアレイ形の可撓性薄形平面アンテナを提供できる。
請求項３記載の発明によれば、全体として略透明な薄形平面アンテナをグランドプレーン側を窓面に対面させて展張して使用することができる。室内または車内に配置可能で他の配線接続が一層容易となる他風雨からも保護される。
請求項４記載の発明によれば、アンテナ先端部もグランドプレーンを極めて簡単な幾何学パターンで実現できる。
請求項５記載の発明によれば、前記アンテナ先端部の前記給電線路との結合部には矩形の接合部材が設けられ、これによりインピーダンスの調整も可能である。
請求項６記載の発明によれば、薄形平面アンテナのストリップラインは、前記入出力端子に接続される装置とアンテナ先端部の放射インピーダンスとのインピーダンス整合を行うことができる。
請求項７記載の発明によれば、アレイ形の薄形平面アンテナの接続構造が提供され、この接続により電力の合成分岐とインピーダンスの調整を同時に実現できる。
ウイルキンソン電力合成／分割器は各ポートでインピーダンス整合条件が保たれるので、ウイルキンソン電力合成／分割器を２段あるいは３段使って、４素子あるいは８素子薄形平面アンテナを容易に実現できる。
【発明を実施するための最良の形態】
【００１０】
以下図面等を参照して本発明による薄形平面アンテナ装置の実施の形態を説明する。
〔薄形１素子平面アンテナの基本構造〕
図１は、本発明による薄形平面アンテナの基本要素である薄形１素子平面アンテナの基本構造を示す平面である。
誘電体基板１として、透明なプラスチックシート（ｈ＝１ｍｍ程度とする。）を用いる。公知の印刷技術により金属膜を基板の表面に形成することにより、アンテナ先端部２および給電線路３のパターンを基板１の表面に形成する。グランドプレーン４を基板裏面に形成する。図１に示す例ではグランドプレーン４は（ａ＝１００ｍｍ, ｂ＝２００ｍｍ）となっている。なお特殊な印刷技術でこれらの導体パターンを形成することにより、アンテナは透明に近い状態になっている。
【００１１】
アンテナとストリップライン給電線路パターン（表面）およびグランドプレーン（裏面）を印刷したプラスチックシートを厚さ３ｍｍのガラス板（窓等に対応）上に貼り付けて薄形平面アンテナとして使用する。
ガラス板と基板１であるプラスチックシートでグランドプレーン４を挟むように貼り付ける。グランドプレーン４によってストリップラインの給電線路３がガラス板から分離されストリップラインの給電線路３がガラス板と基板１に鋏込まれる状況を回避し、ガラス板が給電線路の設計・動作に影響を与えない構造としてある。
【００１２】
〔薄形２素子平面アンテナ〕
図２は、本発明による薄形２素子平面アンテナ基本構造を示す平面である。
このアンテナは前記薄形１素子平面アンテナのアンテナ先端部と同一の形状のアンテナ先端部２一対（アンテナ１とアンテナ２）を厚さ１ｍｍの誘電体基板１上に形成し、誘電体基板１の裏面にグランドプレーン４を設け、グランドプレーン４に対応して表面に給電線路３（ライン１〜３）を配置したものである。
【００１３】
〔薄形１素子平面アンテナの設計例〕
次に前述した薄形１素子平面アンテナの設計例を数値例を示してより具体的に説明する。ア）薄形１素子平面アンテナの動作周波数帯域を５１３ＭＨｚ〜５７３ＭＨｚ、中心周波数５４３ＭＨｚとして設計を行う。
イ）窓ガラス用ガラス板は、厚さ３ｍｍ、比誘電率εg ／ε0 ＝５．０と仮定する。
ウ）誘電体基板として、透明プラスチック（ＰＥＴ）シートの使用を仮定する。厚さはｈ＝１ｍｍ、比誘電率をεp ／ε0 ＝２．２５と仮定する。
エ）アンテナ先端部の導体パターンは、開き角９０度の三角形、グランドプレーンパターンはａ×ｂ＝１００ｍｍ×２００ｍｍの矩形、厚さは共に０．１ｍｍと仮定する。ａ＝ｂ／２＝１００ｍｍはλ／４に近い値を選択する。
オ）アンテナ先端部の三角形の高さｄ（図１参照）にλ／４（ガラス板と誘電体基板の存在を考慮に入れた値）に近い初期値ｄ＝８０ｃｍ、給電線路との接合部の矩形パッチの幅ＷP に初期値ＷP ＝４ｍｍを与え、給電線路部の導体パターンが無い形状で数値シミュレーションを繰り返し実行し、共振周波数が５４３ＭＨｚに近い値となるｄの値を決める。この数値シミュレーションでは、ガラス板の厚さｔg ＝３．０ｍｍ，比誘電率εg ／ε0 ＝５．０, プラスチックシートの厚さｈ＝１．０ｍｍ，比誘電率をεp ／ε0 ＝２．２５，入力ポート（駆動点）の位置を（ｘ，ｙ）＝（０，０）に設定する。後述の実施例では、ｄ＝６２．１４ｍｍとなった。
カ）ａ＝１００ｍｍ，ｂ＝２００ｍｍ，ｄ＝６２．１４ｍｍの条件のもとで、給電線路との接合部の矩形パッチの幅ＷP を微調整（トリム）して共振周波数を５４３ＭＨｚに合わせる。後述の実施例では、ＷP ＝５ｍｍとなった。そして、共振周波数における輻射インピーダンス（輻射抵抗）の値を数値シミュレーション結果から読み取る。後述の実施例では、輻射抵抗＝２９Ωとなった。
キ）次に、給電線路を設計する。給電線路は輻射抵抗２９Ωをテレビジョン受信機入力インピーダンス７５Ωに整合するためのインピーダンス変換器である。ここでは、λg ／４（λg ：ストリップライン上の波長）インピーダンス変換器を採用する。給電線路の特性インピーダンスはＺ0 ＝（２９×７５）1/2 ＝４６．６４Ωとなる。
ク）誘電体基板の厚さｈ＝１．０ｍｍ，比誘電率をεp ／ε0 ＝２．２５としてストリップライン信号線の幅を計算するとＷ＝３．７０ｍｍとなる。結果は図１に示したパターンとなる。
【００１４】
〔薄形２素子平面アンテナの設計例〕
ア）次に、薄形２素子平面アンテナアレーの設計手順を述べる。アンテナ１およびアンテナ２には、前記の薄形１素子平面アンテナとして開発したアンテナを使用する。
イ）ウイルキンソン電力合成／分割器を設計する。既に述べたように、ライン２（長さＬ2,幅Ｗ2 ）の２区間でウイルキンソン電力合成／分割器を構成する。１区間長はＬ2 ＝（λg2／４）＝１００ｍｍ（λg2：ライン２上の波長）である。ライン２の特性インピーダンスＺ02は、アンテナ輻射抵抗を２９Ωとして、Ｚ02＝２９×２1/2 ＝４１．０４Ωとなる。この条件のもとで、電力合成／分割器の３つのポートにおいてインピーダンス整合条件が保たれる。
ウ）ライン３（長さＬ3,幅Ｗ3 ）は２９Ωを７５Ωに変換する１／４波長インピーダンス変換器で、長さＬ3 ＝（λg3／４）＝１００ｍｍ, 特性インピーダンスＺ03＝（２９×７５）1/2 ＝４６．６４Ωとなる。
エ）誘電体基板（プラスチックシート）の厚さｈ＝１．０ｍｍ，比誘電率をεp ／ε0 ＝２．２５としてストリップライン信号線の幅を計算するとＷ2 ＝４．４６ｍｍ（Ｚ20＝４１．０１Ω），Ｗ3 ＝３．７０ｍｍ（Ｚ03＝４６．６４Ω）となる。
オ）輻射抵抗２９Ω、Ｌ2 ＝１００ｍｍ，Ｗ2 ＝４．４６ｍｍ, Ｌ3 ＝１００ｍｍ，Ｗ3 ＝３．７０ｍｍの条件のもとで、ライン１の長さと幅（Ｌ1 とＷ1 ）を決める。Ｌ1 は便宜的にＬ1 ＝２０ｍｍを採用する。アンテナとライン２間の電磁界分布を介しての干渉を抑えること（Ｌ1 →大）とロングライン効果を抑えること（Ｌ1 →小）の２つの相反する要求を考慮して、Ｌ1 ＝２０ｍｍを採用する。Ｗ1 はライン１の特性インピーダンスＺ01がＺ10＝２９Ωとなる値、Ｗ1 ＝６．８７ｍｍを初期値として使い、Ｗ1 値を変えながら、３次元数値シミュレーションを繰り返す。共振周波数が５４３ＭＨｚ, 輻射抵抗が２９Ωとなる値を見出す。後述の実施例では、Ｗ1 ＝２．２０ｍｍとなった。給電線路のアンテナ素子に近接する部分の線幅は、アンテナ素子に容量性あるいは誘導性負荷を付け加える効果を持つので、共振周波数と輻射抵抗に影響を与える。３次元数値シミュレーションを繰り返す過程で、この影響を自動的に取り込んだ上でＷ1 を決定する。
【００１５】
以上のように設計された各薄形平面アンテナの設計例について、動作特性をそれぞれ説明する。
〔薄形１素子平面アンテナの動作説明〕
薄形１素子平面アンテナの仕様を要約して示すと次のとおりである。
動作周波数帯域：５１３ＭＨｚ〜５７３ＭＨｚ
動作帯域中心周波数：５４３ＭＨｚ
出力端子インピーダンス：７５Ω
数値解析に用いた薄形１素子平面アンテナのモデルおよび座標系を図３に示す。
誘電体基板（プラスチックシート）の裏面を上面（紙面）として見た図で、上から、グランドプレーン（厚さ：０．１ｍｍ）、プラスチックシート（厚さ：１ｍｍ）、アンテナ先端部・給電線路パターン（厚さ：０．１ｍｍ）の順で配置されている。
アンテナ先端部と給電線路接合部中央点を通る垂直線がプラスチックシート上面を貫通する点を座標原点にとる。プラスチックシートの上にガラス板（厚さ：３ｍｍ）（図３には示されていない。）を配置すれば、薄形１素子平面アンテナの計算用モデルが完成する。テレビジョン信号波は、ｚの正方向（窓の外）からガラス板を透過してアンテナに入射する。アンテナ動作解析では、給電／出力ポートを励振し、アンテナの電波放射特性を求める。
【００１６】
なお、前記薄形１素子平面アンテナが関連させられるガラス板（ガラスシート）とプラスチックシートの構造は次のとおりである。
ガラスシート
面積：Ａg ＝２８０ｍｍ，Ｂg ＝２４０ｍｍ
実際にアンテナを使用する場合には、ガラス板の大きさに制限は無い。
厚さ：ｔg ＝３ｍｍ
比誘電率：εgr＝εg ／ε0 ＝５．０
プラスチックシート
面積：Ａp ＝２８０ｍｍ，Ｂp ＝２４０ｍｍ
厚さ：ｈp ＝１ｍｍ
比誘電率：εpr＝εp ／ε0 ＝２．２５（ポリエチレン）
【００１７】
金属膜パターンのパラメータを表１に示す。
【表１】
2007142974.tif 000003
【００１８】
アンテナ放射指向性を表示するために使う極座標系を図３に示した座標と対応させて図４に示す。
図５に、φ＝０°とφ＝１８０°面内（ｚ−ｘ面内）放射指向性パターンを示す。これは、観測点Ｐがｚ−ｘ面内でθが０°から３６０°まで変化した時、放射指向度をθの関数として表したパターンである。
【００１９】
図６に、φ＝９０°とφ＝２７０°面内（ｙ−ｚ面内）放射指向性パターンを示す。これは、観測点Ｐがｙ−ｚ面内でθが０°から３６０°まで変化した時、放射指向度をθの関数として表したパターンである。
図５と図６から、３次元放射指向性パターンは、大略、図５の形状をｘ軸の周りに回転したドーナツ形をしているが、ｚ軸の方向（θ＝０°とθ＝１８０°）で強く、ｙ軸の方向（θ＝９０°とθ＝２７０°）でやや弱い。
大雑把に言って、ｚ−ｘ面内ではガラス板に垂直な方向に電磁波を集中して放射しているが、ｙ−ｚ面内では全ての方向にほぼ同じ強度で放射している。ｚ−ｘ面内ではガラス板に垂直な方向に電磁波を集中して放射しているので、ガラス板にほぼ垂直に入射してくるテレビジョン信号波を高い受信感度で受信する。欠点として、室内の物体によって反射された電波の影響を受けることおよびｙ−ｚ面内では送受信エネルギーが絞られていない。後述する２素子平面アンテナアレー技術によって、ｙ−ｚ面内の指向性を大幅に改善できる。
【００２０】
〔給電／出力ポートにおけるインピーダンス整合の検討〕
図３に示した、給電／出力ポートに内部抵抗７５Ωの信号源を接続してアンテナを励振する。アンテナによる反射波（散乱波）を計算し、スミスチャート（インピーダンスチャート）上にプロットする。
結果を図７に示す。図７の曲線は、給電ポートから見たアンテナのインピーダンスを周波数の関数として示した曲線で、インピーダンス軌跡と呼ばれる。計算で使った周波数範囲は２７１．５ＭＨｚ（中抜きの丸印）から８１４．５ＭＨｚ（塗りつぶしの丸印）である。薄形１素子平面アンテナの入力インピーダンスの位相特性を図８に示す。
【００２１】
図７の曲線（インピーダンス軌跡）は３点でリアクタンスがゼロの軸（抵抗軸）と交差しており、このアンテナは２７１．５ＭＨｚ（中抜きの丸印）から８１４．５ＭＨｚ（塗りつぶしの丸印）の周波数範囲に３つの共振点を持つことを示す。共振点の周波数は、図８から、３３９．３ＭＨｚ, ５４８．３ＭＨｚ, ６８３．３ＭＨｚである。これらの内、設計目標値５４３ＭＨｚに近い５４８．３ＭＨｚを共振周波数とするモードで本アンテナを動作させる。給電ポートから見たアンテナ入力インピーダンスは共振周波数においてスミスチャート（基準インピーダンス：７５Ω）中心点に極めて近く、ほぼ７５Ωが実現されている。アンテナ入力ポートにおけるインピーダンス整合状態を示すＳパラメータ（散乱パラメータ）強度（ｄＢ表示) の周波数依存性を図９に示す。
【００２２】
図９から、反射波のレベルは周波数帯域５００ＭＨｚから６００ＭＨｚにわたって−１０ｄＢ以下に保たれている。Ｓパラメータ強度をエネルギーバランスに換算し、その周波数依存性をプロットすると図１０となる。
図１０は、設計目標動作周波数帯域５１３ＭＨｚから５７３ＭＨｚにわたって、入力された電力の７０％以上が、中心周波数５４８ＭＨｚではほぼ１００％がアンテナから空間に放射されることを示している。
【００２３】
〔薄形２素子平面アンテナの動作説明〕
前述した薄形２素子平面アンテナの設計例の仕様は次のとおりである。
薄形２素子平面アンテナ
動作周波数帯域：５１３ＭＨｚ〜５７３ＭＨｚ
動作帯域中心周波数：５４３ＭＨｚ
出力端子インピーダンス：７５Ω
数値解析に用いた薄形２素子平面アンテナのモデルおよび座標系を図１１に示す。
誘電体基板（プラスチックシート）の裏面を上面として見た図で、上から、グランドプレーン（厚さ：０．１ｍｍ）、プラスチックシート（厚さ：１ｍｍ）、アンテナ先端部・電力合成／分割器・給電線路パターン（厚さ：０．１ｍｍ）の順で配置されている。アンテナ先端部側のグランドプレーンのｂ辺中点を通る垂直線がプラスチックシート上面を貫通する点を座標原点にとる。プラスチックシートの上にガラス板（厚さ：３ｍｍ）（図１１には示されていない。）を配置すれば、薄形２素子平面アンテナの計算用モデルが完成する。テレビジョン信号波は、ｚの正方向（窓の外）からガラス板を透過してアンテナに入射する。アンテナ動作解析では、給電／出力ポートを励振し、アンテナからの電波放射特性を求める。
【００２４】
なお、前記薄形２素子平面アンテナが関連させられるガラス板（ガラスシート）とプラスチックシートの構造は次のとおりである。
ガラスシート
面積：Ａg ＝２８０ｍｍ，Ｂg ＝４６０ｍｍ
実際にアンテナを使用する場合には、ガラス板の大きさに制限は無い。
厚さ：ｔg ＝３ｍｍ
比誘電率：εgr＝εg ／ε0 ＝５．０
プラスチックシート
面積：Ａp ＝２８０ｍｍ，Ｂp ＝４６０ｍｍ
厚さ：ｈp ＝１ｍｍ
比誘電率：εpr＝εp ／ε0 ＝２．２５（ポリエチレン）
【００２５】
金属膜パターンのパラメータを表２に示す。
【表２】
2007142974.tif 000004
【００２６】
図１２に、φ＝０°とφ＝１８０°面内（ｚ−ｘ面内）放射指向性パターンを示す。
図１３に、φ＝９０°とφ＝２７０°面内（ｙ−ｚ面内）放射指向性パターンを示す。
図１２と図１３から、放射電磁界エネルギーはｚ−ｘとｙ−ｚ両面内で＋ｚと−ｚ方向に集中している。３次元放射指向性パターンは、８の字形状をｚ軸の周りに回転してできる腹の部分がくぼんだ棒状の形となる。図１３（２素子アンテナアレー）と図６（１素子アンテナ）を比較して、２素子アンテナアレーを構成したことによって、ｙ−ｚ面内の指向特性が大幅に改善された。その結果、主ローブ強度の最大値は、図５（図６）の１．７４から図１２（図１３）の２．３７に増大している。大雑把に言って、ガラス板に垂直な方向に電磁波を集中して放射している。従って、ガラス板にほぼ垂直に入射してくるテレビジョン信号波を高い受信感度で受信する。ただし、室内の物体によって反射された電波の影響を受ける欠点は残る。
【００２７】
〔給電／出力ポートにおけるインピーダンス整合の検討〕
図１１に示す給電／出力ポートに内部抵抗７５Ωの信号源を接続してアンテナを励振する。アンテナによる反射波（散乱波）を計算し、スミスチャート（インピーダンスチャート）上にプロットする。結果を図１４に示す。
図１４の曲線は、給電ポートから見たアンテナインピーダンスの周波数軌跡である。計算で使った周波数範囲は２７１．５ＭＨｚ（中抜きの丸印）から８１４．５ＭＨｚ（塗りつぶしの丸印）である。
【００２８】
薄形２素子平面アンテナアレー入力インピーダンスの位相特性を図１５に示す。
図１４のインピーダンス軌跡は３点でリアクタンスがゼロの軸（抵抗軸）と交差しており、このアンテナは２７１．５ＭＨｚ（中抜きの丸印）から８１４．５ＭＨｚ（塗りつぶしの丸印）の周波数範囲に３つの共振点を持つことを示す。共振点の周波数は、図１５から、４４５．１ＭＨｚ，５３６．２ＭＨｚ，５８５．３ＭＨｚである。これらの内、設計目標値４５３ＭＨｚに近い５３６．２ＭＨｚを共振周波数とするモードで本アンテナを動作させる。給電ポートから見たアンテナ入力インピーダンスは共振周波数においてスミスチャート（基準インピーダンス：７５Ω）中心点に極めて近く、ほぼ７５Ωが実現されている。アンテナ入力ポートにおけるインピーダンス整合状態を示すＳパラメータ（散乱パラメータ）強度（ｄＢ表示）の周波数依存性を図１６に示す。
【００２９】
図１６から、反射波のレベルは周波数帯域５００ＭＨｚから６００ＭＨｚにわたって−１７ｄＢ以下に保たれている。Ｓパラメータ強度をエネルギーバランスに換算し、その周波数依存性をプロットすると図１７となる。
図１７は、設計目標動作周波数帯域５１３ＭＨｚから５７３ＭＨｚにわたって、入力された電力の９０％以上が、中心周波数５４８ＭＨｚではほぼ１００％がアンテナから空間に放射されることを示している。
【産業上の利用可能性】
【００３０】
本発明によれば、アンテナは使用周波数帯における最適なアンテナ先端部、給電線路およびグランドプレーンの形状と誘電体基板の関係を正確に決定することができ、この形状は公知の印刷技術により量産できるから、印刷産業の分野で利用できる。とくにアンテナ先端部等の透明度を保つことができる印刷技術をもつ分野での利用が期待される。
本発明による薄形平面アンテナは、自動車の窓や建築物の窓に、その外観を損なうことなく利用できるから、車外や屋外に特別のアンテナや、その種のアンテナの使用の好ましくない状況下で好適に利用できる。
したがって、移動車両や建築物の内外の通信、放送の受信の分野を含む通信放送の分野で利用できる。
【図面の簡単な説明】
【００３１】
【図１】本発明による薄形１素子平面アンテナの実施例を示す平面図である。
【図２】本発明による薄形２素子平面アンテナの実施例を示す平面図である。
【図３】薄形１素子平面アンテナのモデルおよび座標系を示す図である。
【図４】アンテナの放射特性を表示するための空間を示す極座標を図３に示した座標とともに示した説明図である。
【図５】本発明による薄形１素子平面アンテナのφ＝０°とφ＝１８０°面内（ｚ−ｘ面内）放射指向性パターンを示すグラフである。
【図６】本発明による薄形１素子平面アンテナのφ＝９０°とφ＝２７０°面内（ｙ−ｚ面内）放射指向性パターンを示すグラフである。
【図７】本発明による薄形１素子平面アンテナの給電ポートから見たアンテナのインピーダンスを周波数の関数として示したグラフである。
【図８】本発明による薄形１素子平面アンテナのインピーダンス位相特性を示すグラフである。
【図９】本発明による薄形１素子平面アンテナのＳパラメータ強度（ｄＢ表示）の周波数依存性を示すグラフである。
【図１０】本発明による薄形１素子平面アンテナの入出力ポートのエネルギーバランスを示すグラフである。
【図１１】本発明による薄形２素子平面アンテナのモデルおよび座標系を示す図である。
【図１２】本発明による薄形２素子平面アンテナのφ＝０°とφ＝１８０°面内（ｚ−ｘ面内）放射指向性パターンを示すグラフである。
【図１３】本発明による薄形２素子平面アンテナのφ＝９０°とφ＝２７０°面内（ｙ−ｚ面内）の放射指向性パターンを示すグラフである。
【図１４】本発明による薄形２素子平面アンテナの給電ポートから見たアンテナのインピーダンスを周波数の関数として示したグラフである。
【図１５】本発明による薄形２素子平面アンテナのインピーダンス位相特性を示すグラフである。
【図１６】本発明による薄形２素子平面アンテナのＳパラメータ強度（ｄＢ表示）の周波数依存性を示すグラフである。
【図１７】本発明による薄形２素子平面アンテナの入出力ポートのエネルギーバランスを示すグラフである。
【図１８】非特許文献１記載のアンテナの構成を説明するための略図である。
【図１９】非特許文献２記載のアンテナの構成を説明するための略図である。
【符号の説明】
【００３２】
１  誘電体基板
２  アンテナ先端部
３  給電線路
４  グランドプレーン
５  給電／出力端子
【図１】
2007142974.tif 000005
【図２】
2007142974.tif 000006
【図３】
2007142974.tif 000007
【図４】
2007142974.tif 000008
【図５】
2007142974.tif 000009
【図６】
2007142974.tif 000010
【図７】
2007142974.tif 000011
【図８】
2007142974.tif 000012
【図９】
2007142974.tif 000013
【図１０】
2007142974.tif 000014
【図１１】
2007142974.tif 000015
【図１２】
2007142974.tif 000016
【図１３】
2007142974.tif 000017
【図１４】
2007142974.tif 000018
【図１５】
2007142974.tif 000019
【図１６】
2007142974.tif 000020
【図１７】
2007142974.tif 000021
【図１８】
2007142974.tif 000022
【図１９】
2007142974.tif 000023